(57)【要約】      （修正有）【課題】居住空間内におけるレイアウトの自由度を大幅に向上できるようにしたテーブルユニットを提供する。【解決手段】上面から出入れ自在な収納スペース部２２Ａ、２２Ｂが形成されたテーブル本体２１、テーブル本体の上面を覆って片開き式又は両開き式に取付けられ、収納スペース部を開閉自在に覆う天板２３、及びテーブル本体の下面に設けられ、下端面に嵌込み凹部が形成された脚２４から構成されるメインテーブル２０と、棚３１、棚の上面に形成され、メインテーブルの嵌込み凹部に嵌入される嵌込み凸部、及び棚の下面に設けられた脚３２とから構成され、メインテーブルを搭載しメインテーブルとは別体に配置し得るサブテーブル３０と、を備える。【選択図】図４
0003184809.tif 000002
【実用新案登録請求の範囲】
【請求項１】
上面から出入れ自在な収納スペース部（２２Ａ、２２Ｂ）が形成されたテーブル本体（２１）、該テーブル本体（２１）の上面を覆って片開き式又は両開き式に取付けられ、上記収納スペース部（２２Ａ、２２Ｂ）を開閉自在に覆う天板（２３）、及び上記テーブル本体（２１）の下面に設けられ、下端面に嵌込み凹部（２４Ａ）が形成された脚（２４）から構成させれるメインテーブル（２０）と、
棚（３１）、該棚（３１）の上面に形成され、上記メインテーブル（２０）の嵌込み凹部（２４Ａ）に嵌入される嵌込み凸部（３４）、及び上記棚（３１）の下面に設けられた脚（３２）とから構成され、上記メインテーブル（２０）を搭載し上記メインテーブル（２０）とは別体に配置し得るサブテーブル（３０）と、
を備えたことを特徴とするテーブルユニット。
【請求項２】
下面に嵌込み具（３６）が設けられた天板（３５）をさらに備え、上記嵌込み具（３６）には上記サブテーブル（３０）の嵌込み凸部（３４）を嵌め込み可能な嵌込み凹部（３６Ａ）が形成され、
上記天板（３５）の嵌込み凹部（３６Ａ）に上記サブテーブル（３０）の嵌込み凸部（３４）が嵌合されることによって上記天板（３５）が上記サブテーブル（３０）に取付けられるようになっている請求項１記載のテーブルユニット。
【請求項３】
上記天板（２３、３５）が透明又は半透明な材料で製造されている請求項１又は２記載のテーブルユニット。
【請求項４】
上記メインテーブル（２０）の天板（２３）下面には短柱状の圧着具（２３Ｂ）の頂面が接着剤によって圧着され、該圧着具（２３Ｂ）の下面には雌ねじ（２３Ｆ）が形成され、該雌ねじ（２３Ｆ）に木板（２３Ａ）の雄ねじ（２３Ｃ）が螺合されることによって、上記天板（２３）に木板（２３Ａ）が固定され、該木板（２３Ａ）と上記メインテーブル（２０）のテーブル本体（２１）との間に蝶番（２５）及びリンク（２６）が設けられることにより、上記メインテーブル（２０）の天板（２３）がテーブル本体（２１）に対して開閉自在に構成されている請求項１記載のテーブルユニット。
【考案の詳細な説明】
【技術分野】
【０００１】
本考案はテーブルユニットに関し、特に居住空間内におけるレイアウトの自由度を大幅に向上できるようにしたテーブルユニットに関する。
【背景技術】
【０００２】
例えば、ガラステーブルは天板に透明又は半透明なガラス板が用いられ、テーブル下方が透けて室内が広く見えるなど、室内装飾性に優れている。
【０００３】
従来、この種のガラステーブルには四角形の枠内にガラステーブルを嵌め込んだ天板、一部を切り欠いてガラスを嵌め込んだ天板、又はガラス製天板の下側に、内部を複数にスペースに仕切った抽斗を設け、収集品を飾れるようにしたコレクションテーブルが知られている（特許文献１）。
【０００４】
しかし、このコレクションテーブルでは抽斗を抜いて通常のテーブルとして用いようとすると、枠や天板によって空間が制限されたような印象を受け、通常のテーブルとして使用し難い一方で、ガラス製天板を用いると、今度は抽斗の側面が見えてしまい、見栄えの点で改良の余地があった。
【０００５】
他方、一対の基台を相互に対向してかつ間隔をあけて配置し、その上に透明又は半透明な天板を搭載し、又基台に脚を取付けるとともに、基台の対向する部位にガイドを対向して設けて天板透明テーブルを構成する一方、抽斗を基台の間にスライド自在に設けることによってコレクションテーブルを構成し、天板透明テーブルとコレクションテーブルとを選択し得るようにしたテーブルユニットが提案されている（特許文献２）。
【先行技術文献】
【特許文献】
【０００６】
【特許文献１】特開２００６−１４１９６５号公報
【特許文献２】登録実用新案第３１４６２５４号公報
【考案の開示】
【考案が解決しようとする課題】
【０００７】
しかし、特許文献２記載のテーブルユニットでは、抽斗を手前に大きく引き出す必要があって、レイアウトに大きなスペースを必要とし、居住空間内におけるレイアウトが限定されることがあった。
【０００８】
本考案はかかる問題点に鑑み、レイアウトの自由度を大幅に向上させるようにしたテーブルユニットを提供することを課題とする。
【課題を解決するための手段】
【０００９】
そこで、本考案に係るテーブルユニットは、上面から出入れ自在な収納スペース部が形成されたテーブル本体、該テーブル本体の上面を覆って片開き式又は両開き式に取付けられ、上記収納スペース部を開閉自在に覆う天板、及び上記テーブル本体の下面に設けられ、下端面に嵌込み凹部が形成された脚から構成されるメインテーブルと、棚、該棚の上面に形成され、上記メインテーブルの嵌込み凹部に嵌入される嵌込み凸部、及び上記棚の下面に設けられた脚とから構成され、上記メインテーブルを搭載し上記メインテーブルとは別体に配置し得るサブテーブルと、を備えたことを特徴とする。
【００１０】
本考案の特徴の１つはテーブルユニットをメインテーブルとサブテーブルの組合せによって構成し、メインテーブルは収納スペースを形成したテーブル本体に天板を片開き式又は両開き式に取付けて構成し、サブテーブルは棚（シェルフ）を設けて構成するようにした点にある。
【００１１】
これにより、メインテーブルの抽斗を大きく手前に引き出すことなく、収集品を収納でき、又サブテーブルの棚には書籍などを収納でき、多種多様な物品の収納ができる。
【００１２】
また、本考案の第２の特徴はサブテーブルの棚に嵌込み凸部を設けて、メインテーブルを搭載するようにした点にある。
【００１３】
これにより、メインテーブルとサブテーブルを積み重ねてレイアウトでき、又メインテーブルとサブテーブルとを別体に、例えば並べてレイアウトすることができるなど、居住空間においてテーブルユニットを自由にレイアウトでき、それに応じて室内装飾も自由に変更できる。
【００１４】
サブテーブルをメインテーブルとは別体にレイアウトする場合、サブテーブルの棚をそのまま露出させてもよく、又別途用意した天板を取付けるようにしてもよい。すなわち、サブテーブルには下面に嵌込み具が設けられた天板をさらに設け、この嵌込み具にはサブテーブルの嵌込み凸部を嵌め込み可能な嵌込み凹部を形成し、天板の嵌込み凹部にサブテーブルの嵌込み凸部を嵌合させることによって天板をサブテーブルに取付け、サブテーブルをメインテーブルのサイドテーブルとして利用できるようにするのがよい。
【００１５】
天板は不透明な材料、例えば木板や不透明なプラスチックなどで製造してもよいが、コレクションテーブルとしての利用を考慮すると、透明又は半透明な材料で製造するのがよい。
【００１６】
天板を透明又は半透明の材料で製作する場合、載せた物品の重さを枠なしに受ける必要があるので、十分な強度を有する必要がある。そこで、天板は強化ガラス又は強化プラスチックで製作されるのが好ましい。
【００１７】
また、抽斗は全体を１つの収納スペースとしてもよく、仕切り板によって大小の複数の収納スペースに仕切ってもよい。
【００１８】
メインテーブルの天板は１枚の大きな天板をテーブル本体に片開き式に取付け、あるいは前述の大きな天板の半分の大きさの２枚の天板を両開き式（観音開き式）にテーブル本体に取付ければよいが、天板がガラス製又は強化プチスチック製の場合には天板の取付けが難しい。そこで、メインテーブルの天板の下面には短柱状の圧着具の頂面を接着剤によって圧着し、この圧着具の下面には雌ねじを形成し、この雌ねじに木板の雄ねじを螺合させることによって、天板に木板を固定し、この木板とメインテーブルのテーブル本体との間に蝶番及びリンクを設けることにより、メインテーブルの天板をテーブル本体に対して開閉自在に構成するのがよい。
【００１９】
また、本考案によれば、上面から出入れ自在な収納スペース部が形成されたテーブル本体と、該テーブル本体の上面を覆って片開き式又は両開き式に取付けられ、上記収納スペース部を開閉自在に覆う天板と、上記テーブル本体に設けられた脚と、を備えたことを特徴とするテーブルを提供することができる。
【００２０】
さらに、本考案によれば、棚と、該棚の上面に形成され、他のテーブルの脚下端面に形成された嵌込み凹部に嵌入可能な嵌込み凸部と、上記棚の下面に設けられた脚と、上記嵌込み凸部に嵌め込み可能な嵌込み凹部を有する嵌込み具が下面に設けられた天板とを備え、他のテーブルの脚下端面に形成された嵌込み凹部を嵌込み凸部に嵌合させることによって他のテーブルが搭載可能である一方、上記天板の嵌込み具の嵌込み凸部を上記嵌込み凸部に嵌め込むことによって、他のテーブルとは別体に配置可能であることを特徴とするテーブルを提供することができる。
【図面の簡単な説明】
【００２１】
【図１】本考案に係るテーブルユニットの好ましい実施形態を示す概略斜視図である。
【図２】上記実施形態を示す分解斜視図である。
【図３】上記実施形態におけるメインテーブルの脚とサブテーブルの嵌込み凸部の連結部分の構造を示す図である。
【図４】上記実施形態において天板を開いた状態を示す概略斜視図である。
【図５】上記実施形態においてメインテーブルの天板と木板の取付け構造を模式的に示す図である。
【図６】上記実施形態においてサブテーブルをテーブルとして使用する状態を示す概略斜視図である。
【図７】上記実施形態においてサブテーブルの天板の取付け構造を模式的に示す図である。
【図８】上記実施形態においてメインテーブルとサブテーブルを並べて配置した状態を示す概略斜視図である。
【考案を実施するための形態】
【００２２】
以下、本考案を図面に示す具体例に基づいて詳細に説明する。図１ないし図８は本考案に係るテーブルユニットの好ましい実施形態を示す。図において、本例のテーブルユニット１０はメインテーブル２０とサブテーブル３０の組合せによって構成されている。メインテーブル２０はテーブル本体２１、天板２３及び脚２４から構成されている。
【００２３】
テーブル本体２１は例えば木を用いて矩形状に製作され、内部は仕切り板によって大きな収納スペース２２Ａと小さな収納スペース２２Ｂに仕切られ、又テーブル本体２１の下面四隅には木製の脚２４が固定され、脚２４の下端面には奥面に小さな凹部を有する円形状の嵌込み凹部２４Ａが形成されている。
【００２４】
また、テーブル本体２１の上面には天板２３が木板２３Ａと圧着金具２３Ｂを用いて片開き式に取付けられている。この天板２３は透明又は半透明の強化ガラス又は強化プラスチックを用いて製作され、天板２３の下面両側には例えばアルミニウム合金製の短円柱状の圧着金具２３Ｂの頂面が反応硬化性樹脂接着剤、例えば赤外線硬化型エポキシ樹脂接着剤を用いて圧着され、圧着金具２３Ｂの下面には雌ねじ２３Ｆが形成されている。
【００２５】
他方、木板２４Ａには円形の嵌込み凹部２３Ｄ及びねじ穴２３Ｅが形成され、木板２４Ａは天板２３の下面に重ねられ、その嵌込み凹部２３Ｄに天板２３の圧着金具２３Ｂが嵌め込まれ、ねじ穴２３Ｅから雄ねじ２３Ｃがねじ込まれて圧着金具２３Ｂの雌ねじ２３Ｆに螺合されることによって天板２３に木板２３Ａが固定されている。
【００２６】
また、木板２３Ａとテーブル本体２１の上縁後端側との間には蝶番２５が取付けられるとともに、リンク２６が取付けられ、天板２３は蝶番２５とリンク２６によってテーブル本体２１に対して開閉自在に設けられている。
【００２７】
サブテーブル３０では木製の棚３１が上下２段に設けられ、上下の棚３１の四隅の間及び下側の棚３１の上面四隅には木製の脚３２が固定され、又上側の棚３１の上面四隅には嵌込み凸部３４が固定され、嵌込み凸部３４は上面に小突起を有する円柱状に形成され、メインテーブル２０の脚２３の嵌込み凹部２４Ａに嵌入されるようになっている。
【００２８】
サブテーブル３０には天板３５が装備されている。この天板３５は透明又は半透明の強化ガラス又は強化プラスチックを用いて製作され、天板３５の下面両側には例えばアルミニウム合金製の短円柱状の嵌込み金具３６の頂面が反応硬化性樹脂接着剤、例えば赤外線硬化型エポキシ樹脂接着剤を用いて圧着され、嵌込み金具３６の下面には嵌込み凹部３６Ａが形成され、嵌込み凹部３６Ａには棚３１の嵌込み凸部３４の小突起が嵌入されるようになっている。
【００２９】
本例のテーブルユニット１０は図１に示されるように、メインテーブル２０をサブテーブル３０上に搭載して使用するか、別体にして、例えば図８に示されるようにメインテーブル２０とサブテーブル３０とを並べて使用することができる。
【００３０】
例えば、メインテーブル２０をサブテーブル３０上に搭載して使用する場合、メインテーブル２０をサブテーブル３０上に載せ、メインテーブル２０の脚２４の嵌込み凹部２４Ａとサブテーブル３０の嵌込み凸部３４とを相互に嵌合させると、メインテーブル２０とサブテーブル３０を相互に連結することができる。
【００３１】
このとき、メインテーブル２０の天板２３はテーブル本体２１に片開き式に取付けらているので、図４に示されるように、天板２３を開くことによって収納スペース２２Ａ、２２Ｂに大小の収集品や書籍を収納してコレクションテーブルとして利用することができる。また、サブテーブル３０の棚３１にも書籍を収納しておくことができる。
【００３２】
メインテーブル２０とサブテーブル３０を別体に配置する場合、メインテーブル２０の嵌込み凹部２４Ａからサブテーブル３０の嵌込み凸部３４を抜き出して分割し、両テーブル２０、３０を別々に配置すればよい。
【００３３】
このとき、サブテーブル３０の上側の棚３１はそのまま露出しておいてもよく、又図８に示されるように上側の棚３１の嵌込み凸部３４の小突起と天板３５の嵌込み金具３６の嵌込み凹部３６Ａを嵌合させ、天板３５をサブテーブル３０に取付けることもできる。
【００３４】
なお、上記の例ではサブテーブル３０に棚３１を２段に設けたが、３段以上であってもよく、又１段であってもよい。また、メインテーブル２０の天板２３を１枚としたが、半分の大きさの２枚とし、両開き式（観音開き式）に構成することもできる。
【００３５】
また、上記の例ではメインテーブル２０の天板２３を透明又は半透明の強化ガラス又は強化プラスチックを用いて製作したが、アルミニウムなどの金属材料、木材、不透明なプラスチックを用いて製作することもできる。また、上記の例ではメインテーブル２０及びサブテーブル２０の脚を２４、３２を柱状とした例について説明したが、板状の脚を用いるようにしてもよい。
【符号の説明】
【００３６】
１０      テーブルユニット
２０      メインテーブル
２１      テーブル本体
２２Ａ、２２Ｂ      収納スペース
２３      天板
２３Ａ      木板
２３Ｂ      圧着金具
２４      脚
２４Ａ      嵌込み凹部
２５      蝶番
２６      リンク
３０      サブテーブル
３１      棚
３２      脚
３４      嵌込み凸部
３５      天板
３６      嵌込み金具
３６Ａ      嵌込み凹部
【図１】
0003184809.tif 000003
【図２】
0003184809.tif 000004
【図３】
0003184809.tif 000005
【図４】
0003184809.tif 000006
【図５】
0003184809.tif 000007
【図６】
0003184809.tif 000008
【図７】
0003184809.tif 000009
【図８】
0003184809.tif 000010